(57)【要約】【課題】本発明は、ハイブリッド自動車を駆動するための電源を供給するバッテリの充電を走行状態に応じて制御するバッテリ充電制御方法およびシステムに関するものである。【解決手段】そのための本発明の一実施形態の方法は、ハイブリッド自動車を駆動するための電源を供給するバッテリの充電を走行状態に応じて制御するバッテリ充電制御方法であって、設定時間の間の平均車速を計算するが、前記設定時間より短いアップデート周期で前記平均車速をアップデートするステップと、前記平均車速に基づき、前記バッテリの充電可否の基準となるＳＯＣ（Ｓｔａｔｅ  Ｏｆ  Ｃｈａｒｇｅ）充電バンドを変更するステップと、前記ＳＯＣ充電バンドに基づき、走行状態に応じて前記バッテリの充電の可否を決定するステップとを含むことができる。【選択図】図３
2014051270.tif 000002
【特許請求の範囲】
【請求項１】
ハイブリッド自動車を駆動するための電源を供給するバッテリの充電を走行状態に応じて制御するバッテリ充電制御方法であって、
設定時間の間の平均車速を計算するが、前記設定時間より短いアップデート周期で前記平均車速をアップデートするステップと、
前記平均車速に基づき、前記バッテリの充電基準となるＳＯＣ充電バンドを変更するステップと、
前記ＳＯＣ充電バンドに基づき、走行状態に応じて前記バッテリを充電するステップとを含むことを特徴とするハイブリッド自動車のバッテリ充電制御方法。
【請求項２】
前記ＳＯＣ充電バンドを変更するステップは、
前記バッテリのＳＯＣがそれ以下の場合に限ってバッテリの充電を許容するとする基準値であるＳＯＣ充電バンドのハイ値を変更することを特徴とする請求項１記載のハイブリッド自動車のバッテリ充電制御方法。
【請求項３】
前記平均車速が設定された高速基準車速より大きい場合に対するＳＯＣバンドのハイ値は、前記平均車速が前記高速基準車速より小さい場合に対するＳＯＣバンドのハイ値より大きく設定されることを特徴とする請求項２記載のハイブリッド自動車のバッテリ充電制御方法。
【請求項４】
前記定められた時間の間の停車回数をカウントするステップをさらに含み、
前記ＳＯＣバンドのハイ値を変更するステップは、前記平均車速に加えて、前記停車回数に基づいて前記ＳＯＣバンドのハイ値を変更することを特徴とする請求項２記載のハイブリッド自動車のバッテリ充電制御方法。
【請求項５】
前記停車回数を設定回数と比較するステップをさらに含み、
前記停車回数が前記設定回数より小さい場合に対するＳＯＣバンドのハイ値は、前記停車回数が前記設定回数より大きい場合に対するＳＯＣバンドのハイ値より大きく設定されることを特徴とする請求項４記載のハイブリッド自動車のバッテリ充電制御方法。
【請求項６】
前記停車回数を前記設定回数と比較するステップは、前記平均車速が前記高速基準車速より大きくない場合に行われることを特徴とする請求項４記載のハイブリッド自動車のバッテリ充電制御方法。
【請求項７】
前記平均車速を前記高速基準車速より低い渋滞基準車速と比較するステップをさらに含み、
前記平均車速が前記渋滞基準車速より大きい場合に対するＳＯＣバンドのハイ値は、前記平均車速が前記渋滞基準車速より小さい場合に対するＳＯＣバンドのハイ値より大きく設定されることを特徴とする請求項３記載のハイブリッド自動車のバッテリ充電制御方法。
【請求項８】
前記平均車速を前記高速基準車速より低い渋滞基準車速と比較するステップをさらに含み、
前記平均車速が前記渋滞基準車速より大きい場合に対するＳＯＣバンドのハイ値は、前記平均車速が前記渋滞基準車速より小さい場合に対するＳＯＣバンドのハイ値より大きく設定されることを特徴とする請求項６記載のハイブリッド自動車のバッテリ充電制御方法。
【請求項９】
前記平均車速を前記渋滞基準車速と比較するステップは、前記停車回数が前記設定回数より大きい場合に行われることを特徴とする請求項８記載のハイブリッド自動車のバッテリ充電制御方法。
【請求項１０】
前記平均車速をアップデートするステップは、
前記設定時間のうち初期の前記アップデート周期に相当する車速を平均から差し引き、前記設定時間のうち末期の前記アップデート周期に相当する車速を平均に加えることによって計算することを特徴とする請求項１記載のハイブリッド自動車のバッテリ充電制御方法。
【請求項１１】
ハイブリッド自動車の駆動電源を供給するバッテリの充電を制御するバッテリ充電制御システムであって、
前記ハイブリッド自動車の速度を検出する車速検出器と、
前記ハイブリッド自動車の走行状態に応じて発電する発電機と、
前記車速検出器の信号に基づき、前記発電機の発電電圧を用いて前記バッテリの充電の可否を制御する制御ユニットとを含み、
前記制御ユニットは、設定されたプログラムによって動作する１つ以上のマイクロプロセッサであって、前記設定されたプログラムは、
設定時間の間の平均車速を計算するが、前記設定時間より短いアップデート周期で前記平均車速をアップデートするステップと、前記平均車速に基づき、前記バッテリの充電基準となるＳＯＣ充電バンドを変更するステップと、前記ＳＯＣ充電バンドに基づき、走行状態に応じて前記バッテリを充電するステップとを含む、ハイブリッド自動車のバッテリ充電制御方法を実行するための一連の命令からなることを特徴とするハイブリッド自動車のバッテリ充電制御システム。
【発明の詳細な説明】
【技術分野】
【０００１】
本発明は、ハイブリッド自動車を駆動するための電源を供給するバッテリの充電を走行状態および走行状況に応じて制御するバッテリ充電制御方法およびシステムに関するものである。
【背景技術】
【０００２】
周知のように、世界的な原油高および排気ガス規制により環境に優しい政策と燃費の向上が自動車開発の核心的な項目となっている。これにより、自動車メーカーは、環境に優しい政策に応え、燃費向上のために、燃料節減および排気ガス低減のための技術開発に多大な努力を傾けている。
【０００３】
このような背景下、バッテリの電源で駆動されるモータを動力源として使用するハイブリッド自動車（ＨＥＶ；Ｈｙｂｒｉｄ  Ｅｌｅｃｔｒｉｃ  Ｖｅｈｉｃｌｅ）が開発されている。
【０００４】
ハイブリッド自動車の概念的な構成を、図１に示した。
【０００５】
図１を参照すれば、ハイブリッド自動車は、駆動軸１２とホイール軸１４との速度比を変更および決定する変速機２２と、電気エネルギーを利用して駆動軸１２に動力を伝達することができ、自動車の慣性を利用してエネルギーの回生が可能なモータ２４と、燃料を利用して動力を発生するエンジン２６と、エンジン２６の動力を駆動軸１２に伝達および断絶可能にするエンジン側クラッチ２８と、エンジン２６の始動および停止のためのエンジン始動／停止モータ３２とを含むことができる。
【０００６】
このようなハイブリッド自動車は、エンジン２６および／またはモータ２４の動力を適切に組み合わせて使用しながら走行することができる。この時、エンジン２６の起動時間とエンジン２６の運転点、ハイブリッド自動車に装着されている高電圧バッテリのＳＯＣ（Ｓｔａｔｅ  Ｏｆ  Ｃｈａｒｇｅ）制御および管理戦略などに応じてハイブリッド自動車の燃費が異なり得る。
【０００７】
一方、ハイブリッド自動車は、走行状況を予測する時、平均車速を用いることができる。ハイブリッド自動車が平均車速を用いる時、平均車速のモニタリング時間も重要であるが、平均車速をアップデートする時間も重要であり得る。
【０００８】
これは、平均車速のアップデート時間が、道路状況を予測し、この予測に従ってハイブリッド自動車を制御する時、重要な要素として作用するからである。
【０００９】
既存のハイブリッド自動車は、平均車速を定められた基準時間の間隔ごとに演算し、アップデートする方式を取っている。
【００１０】
例えば、定められた基準時間を５分とした時、前（過去）の５分間の平均車速を用いて、以降の５分間、ハイブリッド自動車がどのような道路状況にあるかを判断する。
【００１１】
こうなると、図２に示すように、車両（以下、ハイブリッド自動車と車両を同じ意味で使う）が前の５分間は市内を走行し、現在高速道路を走行すると仮定すれば、車両は実際に高速道路で高速走行中であるが、平均車速を用いる車両の各種制御システムは市内走行中の平均車速値を用いて当該制御を行うことになる。
【００１２】
これにより、ハイブリッド自動車において、ＳＯＣ制御戦略やエンジンの運転制御が誤って設定され、燃費を悪化させる要因になることがあった。
【００１３】
また、既存のハイブリッド自動車は、例えば、図２に示すように、車速モードを市内走行モード（ｃｉｔｙ  ｍｏｄｅ）と高速道路走行モード（ｈｉｇｈｗａｙ  ｍｏｄｅ）の２つの走行モードにのみ区分して走行制御をしているため、複雑に変化する道路の交通状況に応じたＳＯＣ制御管理や燃費の制御が効率的にできない問題があり得た。
【発明の概要】
【発明が解決しようとする課題】
【００１４】
したがって、本発明は、上記の問題を解決するためになされたものであって、現在走行中の道路および走行中の道路の交通状況まで判断してハイブリッド自動車のバッテリ充電または放電制御をすることにより、ハイブリッド自動車のＳＯＣ制御戦略の効率性の引き上げおよび燃費の向上を達成できるようにしたハイブリッド自動車のバッテリ充電制御方法およびシステムを提供することである。
【課題を解決するための手段】
【００１５】
本発明の実施形態にかかるハイブリッド自動車のバッテリ充電制御方法は、ハイブリッド自動車を駆動するための電源を供給するバッテリの充電を走行状態に応じて制御するバッテリ充電制御方法であって、設定時間の間の平均車速を計算するが、前記設定時間より短いアップデート周期で前記平均車速をアップデートするステップと、前記平均車速に基づき、前記バッテリの充電基準となるＳＯＣ（Ｓｔａｔｅ  Ｏｆ  Ｃｈａｒｇｅ）充電バンドを変更するステップと、前記ＳＯＣ充電バンドに基づき、走行状態に応じて前記バッテリを充電するステップとを含むことができる。
【００１６】
本発明の実施形態において、前記ＳＯＣ充電バンドを変更するステップは、前記バッテリのＳＯＣがそれ以下の場合に限ってバッテリの充電を許容するとする基準値であるＳＯＣ充電バンドのハイ値を変更することができる。
【００１７】
本発明の実施形態において、前記平均車速が設定された高速基準車速（ｐｒｅｄｅｔｅｒｍｉｎｅｄ  ｈｉｇｈ  ｓｐｅｅｄ  ｃｒｉｔｅｒｉａ  ｖａｌｕｅ）より大きい場合に対するＳＯＣバンドのハイ値は、前記平均車速が前記高速基準車速より小さい場合に対するＳＯＣバンドのハイ値より大きく設定できる。
【００１８】
本発明の実施形態において、前記定められた時間の間の停車回数をカウントするステップをさらに含み、前記ＳＯＣバンドのハイ値を変更するステップは、前記平均車速に加えて、前記停車回数に基づいて前記ＳＯＣバンドのハイ値を変更することができる。
【００１９】
本発明の実施形態において、前記停車回数を設定回数と比較するステップをさらに含み、前記停車回数が前記設定回数より小さい場合に対するＳＯＣバンドのハイ値は、前記停車回数が前記設定回数より大きい場合に対するＳＯＣバンドのハイ値より大きく設定できる。
【００２０】
本発明の実施形態において、前記停車回数を前記設定回数と比較するステップは、前記平均車速が前記高速基準車速より大きくない場合に実施できる。
【００２１】
本発明の実施形態において、前記平均車速を前記高速基準車速より低い渋滞基準車速と比較するステップをさらに含み、前記平均車速が前記渋滞基準車速より大きい場合に対するＳＯＣバンドのハイ値は、前記平均車速が前記渋滞基準車速より小さい場合に対するＳＯＣバンドのハイ値より大きく設定できる。
【００２２】
本発明の実施形態において、前記平均車速を前記高速基準車速より低い渋滞基準車速と比較するステップをさらに含み、前記平均車速が前記渋滞基準車速より大きい場合に対するＳＯＣバンドのハイ値は、前記平均車速が前記渋滞基準車速より小さい場合に対するＳＯＣバンドのハイ値より大きく設定できる。
【００２３】
本発明の実施形態において、前記平均車速を前記渋滞基準車速と比較するステップは、前記停車回数が前記設定回数より大きい場合に実施できる。
【００２４】
本発明の実施形態において、前記平均車速をアップデートするステップは、前記設定時間のうち初期の前記アップデート周期に相当する車速を平均から差し引き、前記設定時間のうち末期の前記アップデート周期に相当する車速を平均に加えることによって計算することができる。
【００２５】
そして、本発明の他の実施形態にかかるハイブリッド自動車のバッテリ充電制御システムは、ハイブリッド自動車の駆動電源を供給するバッテリの充電を制御するバッテリ充電制御システムであって、前記ハイブリッド自動車の速度を検出する車速検出器と、前記ハイブリッド自動車の走行状態に応じて発電する発電機と、前記車速検出器の信号に基づき、前記発電機の発電電圧を用いて前記バッテリの充電の可否を制御する制御ユニットとを含み、前記制御ユニットは、設定されたプログラムによって動作する１つ以上のマイクロプロセッサであって、前記設定されたプログラムは、前記本発明の実施形態のバッテリ充電方法を実行するための一連の命令であり得る。
【発明の効果】
【００２６】
上述のように、本発明の実施形態によれば、現在走行中の道路および走行状況まで判断してハイブリッド自動車のバッテリ充電制御をすることにより、ハイブリッド自動車のＳＯＣ制御戦略の効率性の引き上げおよび燃費の向上を達成することができる。
【００２７】
本発明の実施形態によれば、平均車速のアップデート時間を現在の走行状況を反映できるように設定することにより、ハイブリッド自動車のバッテリの充電を走行状況に適合させることができ、これにより、バッテリの制御管理も効率的にすることができる。
【図面の簡単な説明】
【００２８】
【図１】一般的なハイブリッド自動車の概念図である。
【図２】従来技術の問題を説明するための説明図である。
【図３】本発明の実施形態にかかるハイブリッド自動車のバッテリ充電制御方法のフローチャートである。
【図４】本発明の実施形態にかかるハイブリッド自動車のバッテリ充電制御システムのブロック構成図である。
【図５】本発明の実施形態にかかるハイブリッド自動車の構成図である。
【図６】本発明の実施形態にかかる作用を説明するための説明図である。
【発明を実施するための形態】
【００２９】
以下、本発明の実施形態を、添付した図面に基づいて詳細に説明する。
【００３０】
図１は、本発明の実施形態にかかるバッテリ充電制御システムが適用されるハイブリッド自動車を概略的に示す図である。
【００３１】
図１に示されるように、本発明の実施形態にかかるバッテリ充電制御システムが適用されるハイブリッド自動車は、駆動軸１２とホイール軸１４との速度比を変更および決定する変速機２２と、電気エネルギーを利用して駆動軸１２に動力を伝達することができ、自動車の慣性を利用してエネルギーの回生が可能なモータ２４と、燃料を利用して動力を発生するエンジン２６と、エンジン２６の動力を駆動軸１２に伝達および断絶可能にするエンジン側クラッチ２８と、エンジン２６の始動および停止のためのエンジン始動／停止モータ３２とを含むことができる。
【００３２】
ハイブリッド自動車において、モータ２４およびエンジン始動／停止モータ３２は必要に応じて発電機として動作してバッテリを充電することは公知の事実であるので、本明細書においてこれに関する詳細な説明の開示は省略する。
【００３３】
図４は、本発明の実施形態にかかるハイブリッド自動車のバッテリ充電制御システムを概略的に示すブロック図である。
【００３４】
図５は、本発明の実施形態にかかる駆動制御システムが設けられたハイブリッド自動車（ＨＥＶ）であって、エンジン２６と、モータ２４と、バッテリ４００と、充電制御システム５００とを含むことができる。
【００３５】
本発明の実施形態にかかるバッテリ充電制御システムは、ハイブリッド自動車の駆動電源を供給するバッテリの充電を制御するバッテリ充電制御システムである。
【００３６】
このような本発明の実施形態にかかるバッテリ充電制御システムは、図１および図４に示すように、前記ハイブリッド自動車の速度を検出する車速検出器として車速センサ１００と、前記ハイブリッド自動車の走行状態に応じて発電機として動作できるモータ２４およびエンジン始動／停止モータ３２と、車速センサ１００の信号に基づき、発電機２４、３２の発電電圧を用いて前記バッテリ４００の充電の可否を制御する制御ユニット２００、３００とを含む。
【００３７】
前記車速検出器は、本発明の実施形態では、一例として、ホイールに取り付けられて回転速度を検出する車速センサで形成でき、他の例としては、変速機の最終減速ギヤに取り付けられる車速センサで形成できるが、本発明の保護範囲が必ずしもこれに限定されたものと理解されてはならない。これとは異なる構成であっても、実質的な車速に相応する値の計算を可能にする構成であれば、本発明の技術的思想が適用可能である。
【００３８】
前記制御ユニットは、設定されたプログラムによって動作する１つ以上のマイクロプロセッサであって、前記設定されたプログラムは、後述する本発明の実施形態にかかるバッテリ充電制御方法を実行するための一連の命令から形成される。
【００３９】
本発明の実施形態では、前記制御ユニットは、前記ハイブリッド自動車の駆動電源を供給するバッテリを管理するバッテリ管理システム（ＢＭＳ；Ｂａｔｔｅｒｙ  Ｍａｎａｇｅｍｅｎｔ  Ｓｙｓｔｅｍ）３００と、ハイブリッド自動車の動作全体を制御するハイブリッド制御ユニット（ＨＣＵ；Ｈｙｂｒｉｄ  Ｃｏｎｔｒｏｌ  Ｕｎｉｔ）２００とを含むことができる。後述する本発明の実施形態にかかるバッテリ充電制御方法において、その一部のプロセスは前記ＢＭＳ３００によって、他の一部のプロセスは前記ＨＣＵ２００によって行われるものとすることができる。しかし、本発明の保護範囲が後述する実施形態で説明されるとおりに限定されるものと理解されてはならない。本発明の実施形態における説明とは異なる組み合わせで制御ユニットを実現することができる。あるいは、前記ＢＭＳ３００と前記ＨＣＵ２００が実施形態で説明されたものとは異なる組み合わせのプロセスを行うものとすることができる。
【００４０】
本発明の実施形態において、前記ＢＭＳ３００は、ハイブリッド自動車の駆動電源を供給するバッテリ４００を管理するシステムである。このＢＭＳ３００の機構的な構成に関しては当業者に自明であるので、より詳細な記載を省略する。
【００４１】
そして、本発明の実施形態において、前記ＨＣＵ２００は、ハイブリッド自動車の動作全体を制御する制御ユニットであって、その機構的な構成に関しては当業者に自明であるので、より詳細な記載を省略する。
【００４２】
以下、本発明の実施形態にかかるハイブリッド自動車のバッテリ充電制御方法を、添付した図面を参照して詳細に説明する。
【００４３】
図３は、本発明の実施形態にかかるハイブリッド自動車のバッテリ充電制御方法を示すフローチャートである。
【００４４】
図３に示されるように、ＨＣＵ２００は、車速センサ１００の信号出力を受け、ハイブリッド自動車の現在の車速（ｃｕｒｒｅｎｔ  ｖｅｈｉｃｌｅ  ｓｐｅｅｄ）を計算する（Ｓ１００）。
【００４５】
ＨＣＵ２００は、このように計算される現在の車速に基づいて設定時間の間の平均車速を計算するが、前記設定時間より短いアップデート周期で前記平均車速をアップデートする（Ｓ２００）。
【００４６】
本発明の実施形態において、平均車速を計算するための前記設定時間と平均車速をアップデートするためのアップデート周期とは互いに異なって設定され、より具体的には、前記アップデート周期は、前記設定時間より短く形成される。つまり、前記設定時間は、速度の平均が過度に揺れることなく走行状況を示すための平均としての意味が保たれるために、ある程度長い時間（例：５分または７分）に定められるが、前記アップデート周期は、バッテリの充電の可否をリアルタイムで判断するための十分に短い時間（例：１０秒または２０秒）に定められる。
【００４７】
一方、前記平均車速をアップデートする時、前記設定時間のうち初期の前記アップデート周期に相当する車速を平均から差し引き、前記設定時間のうち末期の前記アップデート周期に相当する車速を平均に加えることによって計算することもできる。この場合、例えば、１０秒単位で車速を測定し、これを５分に対して平均する場合、平均に用いられる車速データは３００×１０＝３，０００個となるが、これを１０秒ごとにアップデートする場合、３千個の車速データを毎度新たに加え、個数で割る計算をする必要がないため、計算が簡単になり得る。
【００４８】
このように平均車速を求めた後は、ＨＣＵ２００は、前記定められた時間の間の停車回数をカウントする（Ｓ３００）。
【００４９】
この停車回数カウントステップＳ３００では、前記平均速度計算ステップにおけるような設定時間の間の停車回数をカウントし、同じアップデート周期でアップデートする。
【００５０】
前記停車回数をカウントするための停車条件は多様に定めることができるが、本発明の実施形態では、車速が１ｋｍ／ｈ以下の場合にこれを停車したと判断する。しかし、本発明の保護範囲はこれに限定するものではない。
【００５１】
こうして平均車速と停車回数が求められた場合、ＨＣＵ２００は、平均車速を設定された高速車速の高速道路モードの車速（例；９０ｋｍ／ｈ）と比較する（Ｓ４１０）。
【００５２】
前記平均車速を高速道路モードの車速と比較した結果、前記平均車速が高速道路モードの車速を超えていれば、ＨＣＵ２００は、ＢＭＳ３００を制御し、バッテリ４００を高速道路モードＳＯＣ制御するようにする（Ｓ４４０）（Ｓ４４５）。
【００５３】
高速道路モードにおいて、エンジンは、図６に示すように、エンジンの動力によってＳＯＣ制御上限線越しの充電バッファバンドまでバッテリ４００を充電できる充電余力がある状況であり得る。
【００５４】
したがって、高速道路モードＳＯＣ制御において、ＨＣＵ２００は、ＢＭＳ３００を制御し、ＳＯＣ制御上限線が許容可能な最大範囲（上限の第１範囲）まで上向き可能に制御しながら、バッテリ４００を充電することができる。
【００５５】
ステップＳ４１０において、前記平均車速を高速道路モードの車速と比較した結果、前記平均車速が高速道路モードの車速以下であれば、ＨＣＵ２００は、前記停車回数が設定回数（例；２回）を超えたかを判断する（Ｓ４２０）。
【００５６】
ステップＳ４２０において、前記停車回数が前記設定回数を超えていなければ、ＨＣＵ２００は、ＢＭＳ３００を通してバッテリ４００を市内モードＳＯＣ制御するようにする（Ｓ４５０）（Ｓ４５５）。
【００５７】
市内モードにおいて、エンジンは、図６に示すように、ＳＯＣ制御上限線からＳＯＣ制御下限線の間でバッテリ４００を適切に充電できる充電余力がある状況であり得る。
【００５８】
したがって、市内モードＳＯＣ制御において、ＨＣＵ２００は、ＢＭＳ３００を制御し、ＳＯＣ制御上限線が前記第１範囲より低い範囲（上限の第２範囲）まで上向き可能に制御しながら、バッテリ４００を充電することができる。
【００５９】
ステップＳ４２０において、前記停車回数が前記設定回数を超えていれば、ＨＣＵ２００は、前記平均車速を渋滞モードの車速（例；２５ｋｍ／ｈ）と比較する（Ｓ４３０）。
【００６０】
ステップＳ４３０において、前記平均車速と前記渋滞モードの車速との比較の結果、前記平均車速が前記渋滞モードの車速を超えていれば、ＨＣＵ２００は、ＢＭＳ３００を通してバッテリ４００を渋滞モードＳＯＣ制御するようにする（Ｓ４６０）（Ｓ４６５）。
【００６１】
渋滞モードにおいて、ハイブリッド自動車は、一般的に、モータの動力だけでの走行が頻繁になり得るため、バッテリ４００の放電が多くなることがある。
【００６２】
したがって、渋滞モードＳＯＣ制御において、ＨＣＵ２００は、ＢＭＳ３００を制御し、ＳＯＣ制御下限線を最大許容可能な最大範囲（下限の第１範囲）から放電バッファバンドまで下向きにしてＳＯＣ制御することができる。
【００６３】
あるいは、渋滞モードＳＯＣ制御において、ＨＣＵ２００は、ＢＭＳ３００を制御し、ＳＯＣ制御上限線が前記第２範囲より低い範囲（上限の第３範囲）まで上向き可能に制御しながら、バッテリ４００を充電することができる。
【００６４】
ステップＳ４３０において、前記平均車速と前記渋滞モードの車速との比較の結果、前記平均車速が前記渋滞モードの車速を超えていなければ、ＨＣＵ２００は、ＢＭＳ３００を通してバッテリ４００を極渋滞モードＳＯＣ制御するようにする（Ｓ４７０）（Ｓ４７５）。
【００６５】
極渋滞走行モードにおいて、ハイブリッド自動車は、渋滞走行モードと同様に、モータの動力のみによる走行が頻繁になり得るため、バッテリ４００の放電が多くなることがある。
【００６６】
したがって、極渋滞モードＳＯＣ制御において、ＨＣＵ２００は、ＢＭＳ３００を制御し、ＳＯＣ制御下限線を許容可能な範囲（下限の第２範囲）から放電バッファバンドまで下向きにしてＳＯＣ制御することができる。前記下限の第２範囲は、前記下限の第１範囲よりも低い値である。
【００６７】
あるいは、極渋滞モードＳＯＣ制御において、ＨＣＵ２００は、ＢＭＳ３００を制御し、ＳＯＣ制御上限線が前記第３範囲より低い範囲（上限の第４範囲）まで上向き可能に制御しながら、バッテリ４００を充電することができる。
【００６８】
以上、本発明に関する好ましい実施形態を説明したが、本発明は、上記の実施形態に限定されず、本発明の実施形態から当該発明の属する技術分野における通常の知識を有する者によって容易に変更され、均等と認められる範囲のすべての変更を含む。
【符号の説明】
【００６９】
１００：車速センサ
２００：ＨＣＵ
３００：ＢＭＳ
４００：バッテリ
【図１】
2014051270.tif 000003
【図２】
2014051270.tif 000004
【図３】
2014051270.tif 000005
【図４】
2014051270.tif 000006
【図５】
2014051270.tif 000007
【図６】
2014051270.tif 000008